【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
監視エリアに設置されたカメラ及びマイクと、サーバとを含む監視カメラシステムであって、
前記カメラは、
前記監視エリアの撮像画像を前記サーバに送信し、
前記マイクは、
前記監視エリアの音を収音して前記サーバに送信し、
前記サーバは、
前記マイクから送信された前記監視エリアの音を用いて、前記監視エリア内の車両に対する加害行為に基づいて開始された前記車両からの警報音を検知し、
前記警報音の検知に基づいて前記加害行為の発生位置を判別し、判別された前記発生位置の撮像画像を取得し、
前記発生位置の撮像画像を用いて、前記加害行為がなされた前記車両を判別し、判別された前記車両に関する情報を取得し、
前記車両に関する情報と前記発生位置の撮像画像とを対応付けて蓄積部に記録する、
監視カメラシステム。
【請求項２】
前記サーバは、
前記車両に関する情報と前記発生位置の撮像画像とを対応付けて前記蓄積部に記録した旨を外部サーバに通知する、
請求項１に記載の監視カメラシステム。
【請求項３】
前記サーバは、
前記カメラから送信された前記監視エリアの撮像画像を用いて、前記加害行為に基づいて開始された前記車両のライトの点滅を検知し、前記ライトの点滅が検知された車両に関する情報を取得する、
請求項１に記載の監視カメラシステム。
【請求項４】
前記サーバは、
前記発生位置の撮像指示を前記カメラに送信し、
前記カメラは、
パンチルトズーム機能を有し、前記サーバから送信された前記撮像指示に応じて、撮像方向を前記発生位置に向けて撮像する、
請求項１に記載の監視カメラシステム。
【請求項５】
前記サーバは、
前記発生位置の周囲の人物の検知に応じて、前記人物に関する情報を取得し、
前記人物に関する情報を、前記車両に関する情報と前記発生位置の撮像画像とに更に対応付けて前記蓄積部に記録する、
請求項１に記載の監視カメラシステム。
【請求項６】
前記サーバは、
統計的に前記加害行為の発生頻度が高い駐車車両の車種に関する情報を保持し、前記監視エリア内の撮像画像を用いて、前記監視エリア内に駐車された車両の車種を判別し、
判別された前記車種が前記駐車車両の車種と一致した場合に、判別された前記車両の車両を監視対象車両と設定し、
前記監視対象車両の撮像指示を前記カメラに送信し、
前記カメラは、
前記サーバから送信された前記撮像指示に応じて、前記監視対象車両を撮像する、
請求項１に記載の監視カメラシステム。
【請求項７】
前記サーバは、
統計的に前記加害行為の発生頻度が高い駐車位置又は駐車時間に関する情報を保持し、
前記監視エリア内において前記駐車位置又は駐車時間にいる車両を監視対象車両と設定し、
前記監視対象車両の撮像指示を前記カメラに送信し、
前記カメラは、
前記サーバから送信された前記撮像指示に応じて、前記監視対象車両を撮像する、
請求項１に記載の監視カメラシステム。
【請求項８】
前記サーバは、
前記カメラから送信された前記監視エリアの撮像画像を用いて、前記監視エリアへの車両の入場時に前記車両のナンバープレートに関する情報を取得し、
前記車両のナンバープレートに関する情報を繰り返し取得し、取得された前記車両のナンバープレートと前記入場時のナンバープレートとが一致しない旨の検知に応じて、ナンバープレートの変更発生の旨を外部サーバに通知する、
請求項１に記載の監視カメラシステム。
【請求項９】
前記サーバは、
前記カメラから送信された前記監視エリアの撮像画像を用いて、前記監視エリアへの車両の入場時に前記車両のナンバープレートに関する情報を取得し、
前記カメラから送信された前記監視エリアの撮像画像を用いて、前記監視エリアからの車両の退場時に前記車両のナンバープレートに関する情報を取得し、
前記入場時のナンバープレートと前記退場時のナンバープレートとが一致しない旨の検知に応じて、ナンバープレートの変更発生の旨を外部サーバに通知する、
請求項１に記載の監視カメラシステム。
【請求項１０】
前記サーバは、
前記監視エリア内の車両に対する加害行為に基づいて開始された前記車両からの警報音を検知すると、前記監視エリア内に設置された拡声器から警報音を音声出力させる、
請求項１に記載の監視カメラシステム。
【請求項１１】
前記サーバは、
前記監視エリア内の車両に対する加害行為に基づいて開始された前記車両からの警報音を検知すると、前記監視エリア内に設置された車両止め装置を作動させる、
請求項１に記載の監視カメラシステム。
【請求項１２】
前記サーバは、
前記監視エリア内の車両を検知し、検知された前記車両から人物が一定時間以上出てこないことを検知すると、前記車両に対する長時間滞在状態を設定し、警報の旨を外部サーバに通知する、
請求項１に記載の監視カメラシステム。
【請求項１３】
前記カメラは、
車両毎の駐車領域を有する前記監視エリアの全方位画像を撮像可能な全方位カメラであり、それぞれの前記駐車領域における車両の駐車の有無に応じて、それぞれの前記駐車領域における駐車状況を監視する、
請求項１に記載の監視カメラシステム。
【請求項１４】
車両毎の駐車領域を有する前記監視エリアの全方位画像を撮像可能な全方位カメラ、を更に備え、
前記カメラは、
パンチルトズーム機能を有し、前記全方位カメラにより前記駐車領域への車両の駐車が検知されると、前記パンチルトズーム機能を用いて、撮像方向を前記駐車領域に向けて撮像し、
前記駐車領域の撮像画像を用いて、前記撮像画像内に映る車両のナンバープレートを認識し、前記ナンバープレートに関する情報と前記駐車領域に駐車された車両の撮像画像とを取得して前記サーバに送信し、
前記サーバは、
前記カメラから送信された前記ナンバープレートに関する情報と前記撮像画像と前記全方位カメラにより駐車が検知された車両の入場時刻情報とを対応付けて前記蓄積部に記録する、
請求項１に記載の監視カメラシステム。
【請求項１５】
前記カメラは、
パンチルトズーム機能を有し、前記監視エリア内に設置された車両毎の駐車領域を一定時間毎に撮像し、
前記駐車領域への車両の駐車の検知に応じて、前記駐車領域の撮像画像を用いて、前記撮像画像内に映る車両のナンバープレートを認識し、前記ナンバープレートに関する情報と前記駐車領域に駐車された車両の撮像画像とを取得して前記サーバに送信し、
前記サーバは、
前記カメラから送信された前記ナンバープレートに関する情報と前記撮像画像とを対応付けて前記蓄積部に記録する、
請求項１に記載の監視カメラシステム。
【請求項１６】
ユーザ端末から入力された前記監視エリア内の駐車領域の予約情報を、前記ユーザ端末の識別情報と対応付けて第２の蓄積部に登録する第２のサーバ、を更に備え、
前記第２のサーバは、
前記カメラの撮像画像に基づいて前記駐車領域への車両の入場が検知されると、前記車両の入場が検知された前記駐車領域に関する情報と前記第２の蓄積部に登録された前記駐車領域の予約情報とを用いて、前記車両の入場が検知された前記駐車領域の予約情報を入力したユーザ端末に、駐車の確認通知を送信し、
前記ユーザ端末により入力された前記駐車の承認通知を受信すると、前記駐車領域への車両の入場時刻からの駐車に関する課金処理を行う、
請求項１に記載の監視カメラシステム。
【請求項１７】
監視エリアに設置されたカメラ及びマイクと、サーバとを含む監視カメラシステムを用いた監視方法であって、
前記カメラは、
前記監視エリアの撮像画像を前記サーバに送信し、
前記マイクは、
前記監視エリアの音を収音して前記サーバに送信し、
前記サーバは、
前記マイクから送信された前記監視エリアの音を用いて、前記監視エリア内の車両に対する加害行為に基づいて開始された前記車両からの警報音を検知し、
前記警報音の検知に基づいて前記加害行為の発生位置を判別し、判別された前記発生位置の撮像画像を取得し、
前記発生位置の撮像画像を用いて、前記加害行為がなされた前記車両を判別し、判別された前記車両に関する情報を取得し、
前記車両に関する情報と前記発生位置の撮像画像とを対応付けて蓄積部に記録する、
監視方法。